(57)【要約】【課題】シート状物の静電気を効果的に除去できる位置に静電気除去装置を不都合なく位置付けることが可能なシート状物取扱い装置を提供する。【解決手段】シート２（シート状物）の近傍に位置する支持部材３５を備える。支持部材３５に移動自在に取付けられ、イオンが含まれた除電用エアー５２を送風する静電気除去装置３６を備える。静電気除去装置３６は、シート２の静電気が帯電している部位に向けて除電用エアー５２を送風するものである。【選択図】  図２
2016199358.tif 000002
【特許請求の範囲】
【請求項１】
シート状物の近傍に位置する支持部材と、
前記支持部材に移動自在に取付けられ、イオンが含まれた除電用エアーを送風する静電気除去装置とを備え、
前記静電気除去装置は、シート状物の静電気が帯電している部位に向けて前記除電用エアーを送風するものであることを特徴とするシート状物取扱い装置。
【請求項２】
請求項１記載のシート状物取扱い装置において、
前記静電気除去装置は、シート状物に除電用エアーが送風される除電位置と、シート状物を取扱う作業が遮られることがない待避位置との間で移動可能に構成されていることを特徴とするシート状物取扱い装置。
【請求項３】
請求項１または請求項２記載のシート状物取扱い装置において、
さらに、シート状物が搬送される搬送路を有し、
前記静電気除去装置は、前記搬送路で搬送されるシート状物の搬送方向とは直交する水平方向の両側から前記搬送路を挟む位置にそれぞれ設けられ、シート状物の両側から除電用エアーをシート状物に向けて送風するものであることを特徴とするシート状物取扱い装置。
【発明の詳細な説明】
【技術分野】
【０００１】
本発明は、シートやウェブなどのシート状物を取扱うシート状物取扱い装置に関する。
【背景技術】
【０００２】
従来、シートやウェブなどのシート状物は、他のシート状物との接触により静電気を帯びることがある。例えば、シートに静電気が帯電すると、重なり合うシートどうしが互いに吸着し合い、個別に搬送することができなくなるおそれがある。従来のシート状物取扱い装置は、このような静電気による不具合を解消するために、静電気除去装置を装備することがある。従来のシート状物取扱い装置に使用される静電気除去装置としては、例えば特許文献１に記載されているものがある。
【０００３】
特許文献１に開示されたシート状物取扱い装置は、印刷機のシート供給装置とシート排出装置である。これらの装置には、それぞれイオンを用いて静電気を除去する静電気除去装置が設けられている。特許文献１に示す印刷機は、シート供給装置とシート排出装置とにおいてそれぞれシートに帯電した静電気量を測定し、この静電気量に応じて静電気除去装置をＯＮ／ＯＦＦする構成が採られている。
【先行技術文献】
【特許文献】
【０００４】
【特許文献１】特開２００９−００１４１８号公報
【発明の概要】
【発明が解決しようとする課題】
【０００５】
しかし、特許文献１に示す静電気除去装置を備えたとしても、静電気を必ずしも充分に除去できるとは限らない。この理由は、静電気は、シートの全面に均一に発生することはなく、部分的に強く発生したり、部分的に弱く発生したりするからである。また、シートが大きい場合に備えて設置された静電気除去装置では、シートが小さい場合にイオンがシートに達していない場合もある。
【０００６】
このため、特許文献１に示すような静電気除去装置が設けられていたとしても、特に乾燥が激しい冬期などでは静電気が原因でシート供給装置においてシートの供給不良が発生したり、シート排出装置でシートを揃えることができなくなるおそれがある。シート排出装置でシートが揃えられていないと、印刷後の打ち抜き工程や折り工程などの後工程で正しく加工を行うことができなくおそれがある。なお、静電気を充分に除去するにあたって、静電気除去装置がシート状物を取扱う作業の邪魔になったり、シート状物の積載量が制約を受けるようなことは避けなければならない。
【０００７】
本発明はこのような問題を解消するためになされたもので、シート状物の静電気を効果的に除去できる位置に静電気除去装置を不都合なく位置付けることが可能なシート状物取扱い装置を提供することを目的とする。
【課題を解決するための手段】
【０００８】
この目的を達成するために、本発明に係るシート状物取扱い装置は、シート状物の近傍に位置する支持部材と、前記支持部材に移動自在に取付けられ、イオンが含まれた除電用エアーを送風する静電気除去装置とを備え、前記静電気除去装置が、シート状物の静電気が帯電している部位に向けて前記除電用エアーを送風するものである。
【０００９】
本発明は、前記シート状物取扱い装置において、前記静電気除去装置が、シート状物に除電用エアーが送風される除電位置と、シート状物を取扱う作業が遮られることがない待避位置との間で移動可能に構成されていてもよい。
【００１０】
本発明は、前記シート状物取扱い装置において、さらに、シート状物が搬送される搬送路を有し、前記静電気除去装置が、前記搬送路で搬送されるシート状物の搬送方向とは直交する水平方向の両側から前記搬送路を挟む位置にそれぞれ設けられ、シート状物の両側から除電用エアーをシート状物に向けて送風するものであってもよい。
【発明の効果】
【００１１】
本発明に係るシート状物取扱い装置においては、静電気除去装置の位置、除電用エアーが吹き出る方向を自由に変えることができる。このように移動自在な静電気除去装置は、シート状物を取扱う作業の邪魔になることはない。しかも、積載されたシートの近傍にこの静電気除去装置を配置できるにもかかわらず、シートの積載量が制約を受けることはない。
したがって、本発明によれば、シート状物の静電気を効果的に除去できる位置に静電気除去装置を不都合なく位置付けることが可能なシート状物取扱い装置を提供することができる。
【図面の簡単な説明】
【００１２】
【図１】本発明に係るシート状物取扱い装置を備えた印刷機の構成を示す側面図である。
【図２】シート状物取扱い装置の構成を示す正面図である。
【図３】支持体の変形例を示す正面図である。
【発明を実施するための形態】
【００１３】
以下、本発明に係るシート状物取扱い装置の一実施の形態を図１および図２によって詳細に説明する。この実施の形態においては、本発明を印刷機のシート供給部とシート排出部に適用する場合の一例を説明する。
【００１４】
図１に示す印刷機１は、枚葉オフセット印刷機で、図１において右から左へ被印刷媒体としてのシート２を送り、このシート２に印刷とコーティングとを施すものである。この実施の形態においては、シート２が本発明でいう「シート状物」を構成している。
この印刷機１は、シート２を供給するシート供給部３と、シート２に印刷を施す印刷部４と、シート２にコーティングを施すコーティング部５と、シート２を排出するためのシート排出部６などを備えている。
【００１５】
シート供給部３は、積載台３ａの上に積み重ねられた多数のシート２を１枚ずつ吸い上げるサッカー装置（図示せず）と、このサッカー装置に吸着されたシート２を印刷部４に送るフィーダーボード７などを備えている。
印刷部４は、第１〜第４の印刷ユニット１１〜１４を備えている。第１〜第４の印刷ユニット１１〜１４は、それぞれ圧胴１５と、ゴム胴１６と、版胴１７と、インキ供給装置１８と、給水装置１９などを備えている。
【００１６】
第１〜第４の印刷ユニット１１〜１４の圧胴１５は、シート２をくわえる爪装置（図示せず）を備え、シート２を搬送方向の下流側へ送る機能を有している。第１〜第４の印刷ユニット１１〜１４の圧胴１５どうしの間には、第１〜第３の渡胴２１〜２３が設けられている。第１〜第３の渡胴２１〜２３は、シート２をくわえる爪装置（図示せず）を有し、シート２を搬送方向の上流側に位置する圧胴１５から下流側に位置する圧胴１５へ送る。第４の印刷ユニット１４の圧胴１５は、後述するコーティング部５の圧胴２４との間に位置する第４の渡胴２５にシート２を送る。この第４の渡胴２５は、第１〜第３の渡胴２１〜２３と同一の構成のものである。
【００１７】
コーティング部５は、第４の渡胴２５からシート２が送られる圧胴２４と、この圧胴２４に対接するコーター胴２６と、このコーター胴２６にコーティング液を転写するコーティング液供給装置（図示せず）などを備えている。
シート排出部６は、シート２をコーティング部５からデリバリチェーン２７と爪竿２８を有する搬送装置２９によって積載台３０の上方に搬送し、積載台３０の上に積み重ねる構成が採られている。
【００１８】
積載台３０にシート２が積み重ねられて形成されたシートパイル３１の上方近傍には、シート２の幅方向の位置を揃えるために横寄せ部材３２が設けられている。この横寄せ部材３２は、図２に示すように、シート２が搬送される搬送路３３を挟む両側に配置されている。ここでいう両側とは、シート２の搬送方向とは直交する水平方向（図２においては左右方向）の両側である。以下においては、シート２の搬送方向とは直交する水平方向を単に左右方向という。これらの横寄せ部材３２は、左右方向に往復してシート２の幅方向の両側部を中央側に向けて押す。
【００１９】
この実施の形態による印刷機１のシート供給部３とシート排出部６は、それぞれ本発明に係るシート状物取扱い装置を構成するものである。シート状物取扱い装置は、シート供給部３やシート排出部６においてシート２の近傍に位置する支持部材３４，３５と、この支持部材３４，３５に移動自在に取付けられた静電気除去装置３６（図２参照）とを備えている。シート供給部３の支持部材３４は、詳細には図示してはいないが、サッカー装置やシート昇降装置などのフレームによって構成することができる。
【００２０】
シート排出部６の支持部材３５は、図２に示すように、デリバリチェーン２７を有する搬送装置２９のフレームによって構成することができる。シート供給部３によって構成されたシート状物取扱い装置と、シート排出部６によって構成されたシート状物取扱い装置とは、構成が同等のものである。このため、以下においては、シート排出部６によって構成されたシート状物取扱い装置について説明する。
【００２１】
図２に示す静電気除去装置３６は、シート排出部６の左右方向の両側に配置されている。すなわち、静電気除去装置３６は、シート２が搬送される搬送路３３を左右方向の両側から挟む位置にそれぞれ設けられている。これらの静電気除去装置３６は、後述する多関節アーム４１によって支持部材３５に移動自在に取付けられている。多関節アーム４１は、支持部材３５に取付けられた取付部材４２と、この取付部材４２に揺動可能に取付けられた第１および第２のアーム４３，４４とを備えている。
【００２２】
取付部材４２は、支持部材３５に固定用ボルト（図示せず）によって固定されている。なお、取付部材４２を支持部材３５に取付けるにあたっては、取付位置を容易に変えることができるように、永久磁石（図示せず）の磁力によって支持部材３５に着脱可能に取付けることもできる。
この取付部材４２には、第１のアーム４３の基部４３ａが第１のロック機構４５を介して回動自在に取付けられている。この第１のロック機構４５は、水平方向に延びる回動軸線を中心として第１のアーム４３が取付部材４２に対して回動自在になる形態と、この回動が規制される形態とを切り替えることができるものである。
【００２３】
第１のアーム４３の揺動端部４３ｂには第２のロック機構４６を介して第２のアーム４４の基部４４ａが回動自在に取付けられている。この第２のロック機構４６は、水平方向に延びる回動軸線を中心として第２のアーム４４が第１のアーム４３に対して回動自在になる非ロック状態と、この回動が規制されるロック状態とを切り替えることができるものである。これらの第１のアーム４３と第２のアーム４４は、それぞれ所定の長さに形成されている。
【００２４】
第２のアーム４４の揺動端部４４ｂには静電気除去装置３６が第３のロック機構４７を介して回動自在に支持されている。第３のロック機構４７は、水平方向に延びる回動軸線を中心として静電気除去装置３６が第２のアーム４４に対して回動自在になる非ロック状態と、この回動が規制されるロック状態とを切り替えることができるものである。なお、第２のアーム４４と静電気除去装置３６との連結部には、図３に示すように、第４のロック機構４８を装備することができる。第４のロック機構４８は、第２のアーム４４の長手方向と第３のロック機構４７の回動軸線との両方に直交する軸線を中心として静電気除去装置３６が第２のアーム４４に対して回動自在になる非ロック状態と、この回動が規制されるロック状態とを切り替えることができるものである。シート排出部６に設けられた静電気除去装置３６は、横寄せ部材３２との干渉を避けるために、シート２の搬送方向において、横寄せより上流側に位置付けられている。
【００２５】
静電気除去装置３６は、多関節アーム４１に支持された筐体５１と、この筐体５１内に設けられたイオン発生装置（図示せず）などによって構成されている。イオン発生装置は、後述する第１〜第３の機能を有している。第１の機能は、筐体５１内でイオンを発生させる機能である。
【００２６】
第２の機能は、イオンを含む筐体５１内の空気からなる除電用エアー５２を筐体５１の送風口５３から吹き出させる機能である。これを実現するにあたっては、筐体５１内に設けられた送風ファン（図示せず）を使用して行う。空気は、筐体５１に開口する吸気口（図示せず）から筐体５１内に吸い込まれ、筐体５１内で生じたイオンとともに除電用エアー５２として送風口５３から吹き出す。筐体５１の送風口５３は、筐体５１に一方向（筐体５１の前方）を指向する状態で開口している。
【００２７】
第３の機能は、除電用エアー５２の風量を変更する機能である。この機能は、例えば筐体５１に設けた風量切替用のスイッチ（図示せず）が操作されることにより、送風ファンの回転数が変化する構成を採ることにより実施可能である。
【００２８】
この実施の形態による静電気除去装置３６は、第１〜第３のロック機構４５〜４７をそれぞれ非固定状態とし、第１および第２のアーム４３，４４をそれぞれ基部４３ａ，４４ａを中心にして揺動させることによって、静電気除去装置３６の上下方向の位置と、左右方向の位置とを変更することができる。また、このとき、第３のロック機構４７の回動軸線を中心にして静電気除去装置３６の角度を変えることによって、送風口５３が指向する方向を任意の方向に変えることができる。なお、図３に示すように第４のロック機構４８を備えている場合は、このときに第４のロック機構４８の回動軸線を中心にして静電気除去装置３６の角度を変えることによって、シート２の搬送方向において、送風口５３が指向する方向を変えることが可能になる。
【００２９】
この実施の形態による静電気除去装置３６は、シート供給部３やシート排出部６において静電気が発生する箇所や、静電気が滞留している箇所に向けて除電用エアー５２が送風される状態で使用される。この実施の形態による静電気除去装置３６は、上述したように、シート供給部３とシート排出部６とに設置されている。しかし、静電気除去装置３６は、シート供給部３またはシート排出部６の一方に静電気が滞留しているのであれば、その一方に設置すれば良い。
【００３０】
シート供給部３に設置された多数のシート２から構成される積載シート５４（図１参照）に静電気が帯電している場合、静電気除去装置３６はこの積載シート５４の近傍に設置される。例えば、送風口５３から送風される除電用エアー５２が積載シート５４の上部に吹き付けられるように静電気除去装置３６の高さと送風方向を調整する。この形態で除電用エアー５２が送風口５３から吹き出すと、この除電用エアー５２が積載シート５４の上面や左右方向の両端面に吹き付けられる。この除電用エアー５２は、積載シート５４の上部に位置するシート２の間や、サッカー装置によって引き上げられたシート２の上面および下面、このシート２の下方に位置する次のシート２の上面に沿って流れる。
【００３１】
この除電用エアー５２の風量は、サッカー装置に吸着され搬送されるシート２の姿勢が大きく乱れることがない風量に設定することが望ましい。
このように除電用エアー５２がシート２や積載シート５４に吹き付けられることによって、シート２や積載シート５４に帯電した静電気がイオンによって中和されて除電される。この結果、シート供給部３においてシート２の静電気が充分に除去される。ここで、積載シート５４の特定箇所に静電気が帯電している場合には、その帯電箇所に除電用エアー５２が吹き付けられるように静電気除去装置３６の高さと送風方向を調整すればよい。
【００３２】
シート排出部６から排出される印刷済のシート２に静電気が帯電している場合、静電気除去装置３６は、図２に示すように、シートパイル３１の近傍に配置される。この場合、シートパイル３１の最も上に位置するシート２とこのシート２の上方に位置するデリバリチェーン２７との間のシート落下空間Ｓに除電用エアー５２が吹き出すように静電気除去装置３６の高さと送風方向を調整する。この形態で除電用エアー５２が送風口５３から吹き出すと、デリバリチェーン２７の爪竿２８による保持から解放されシート落下空間Ｓ内で落下するシート２の下面と、シートパイル３１の最も上に位置するシート２の上面との間を除電用エアー５２が流れる。この除電用エアー５２の風量は、シートパイル３１に向けて落下するシート２の姿勢が大きく乱れることがない風量に設定される。
【００３３】
このように除電用エアー５２がシート落下空間Ｓに送られることによって、シート排出部６内の略全域にイオンが充満する。すなわち、デリバリチェーン２７によって搬送された印刷後のシート２は、イオンが充満しているシート落下空間Ｓを通って積載台３０側に落下することになる。このため、印刷後のシート２に帯電した静電気と、このシート２と積載台３０上のシート２との間に滞留した電荷からなる静電気とが除去される。
【００３４】
この結果、静電気を帯びていない状態でシート２が積載台３０に積み重ねられるから、シート２が他のシート２に静電気によって吸着されることがなく、シート２の水平方向の位置を横寄せ部材３２によって正確に揃えることが可能になる。ここで、シートパイル３１の特定箇所に静電気が帯電している場合には、その帯電箇所に除電用エアー５２が吹き付けられるように、静電気除去装置３６の高さと送風方向を調整すればよい。
【００３５】
シート供給部３に設けられた静電気除去装置３６と、シート排出部６に設けられた静電気除去装置３６は、使用するシート２の左右幅に応じて使用形態を変えることができる。すなわち、左右幅が相対的に狭いシート２を使用する場合は、図２中に二点鎖線Ａで示すように、静電気除去装置３６とシート２との間の距離を除電に最適な距離とするために、静電気除去装置３６を左右方向の中央に向けて移動させる。このため、左右方向の幅が狭いシート２であっても全域にイオンを送ることができ、このシート２の静電気を充分に除去することができる。
【００３６】
また、シート供給部３にシート２を搬入する作業や、シート排出部６からシートパイル３１を排出する作業などのシート２を取扱う作業を行うときは、静電気除去装置３６をこの作業が遮られることがない位置に退避させる。この退避位置としては、例えば図２中に二点鎖線Ｂで示すように、シート供給部３やシート排出部６の上方となる位置がある。すなわち、静電気除去装置３６は、シート２に除電用エアー５２が送風される除電位置と、シート２を取扱う作業が遮られることがない待避位置との間で移動可能に構成されている。退避位置は、シート供給部３やシート排出部６の上方に限定されることはなく、シート２の搬送経路以外の位置であれば、どのような位置でもよい。
【００３７】
シート排出部６でシートパイル３１として排出されたシート２は、図２中に二点鎖線で示すように、シート排出部６の床上に降ろされて一時的に保管されることがある。このような場合は、図２中に二点鎖線Ｃで示すように、静電気除去装置３６をシート排出部６の最下部まで移動させ、床上のシートパイル３１に除電用エアー５２を吹き付ける。このように除電用エアー５２が吹き付けられることによって、シートパイル３１のシート２に残存していた静電気が除去される。
【００３８】
このように構成されたシート供給部３やシート排出部６（シート状物取扱い装置）の静電気除去装置３６は、上述したように移動自在であるから、シート２を取扱う作業の邪魔になることはない。しかも、積載されたシート２の近傍にこの静電気除去装置３６を配置できるにもかかわらず、シート２の積載量が制約を受けることはない。
したがって、この実施の形態によれば、シート２の静電気を効果的に除去できる位置に静電気除去装置３６を不都合なく位置付けることが可能なシート状物取扱い装置を提供することができる。
【００３９】
この実施の形態による静電気除去装置３６は、シート２に除電用エアー５２が送風される除電位置と、シート２を取扱う作業が遮られることがない待避位置との間で移動可能に構成されている。このため、静電気除去装置３６を退避位置に退避させることによって、静電気除去装置３６を支持部材３４，３５から取外すことなく、シート２を取扱う作業を容易に行うことができる。取付部材４２がマグネットを使用するものである場合は、多関節アーム４１を含めて静電気除去装置３６の取付位置を変えることが可能になる。このため、この場合は、静電気除去装置３６の取付位置の自由度がさらに高くなるから、除電用エアー５２をより一層確実にシート３に吹き付けることができる。
【００４０】
この実施の形態によるシート状物取扱い装置は、シート２が搬送される搬送路３３を有している。静電気除去装置３６は、搬送路３３で搬送されるシート２の搬送方向とは直交する水平方向の両側から搬送路３３を挟む位置にそれぞれ設けられ、シート２の両側から除電用エアー５２をシート２に向けて送風するものである。
このため、シート２の一側部と他側部とで均等に静電気を除去することができるから、静電気を充分に除去することが可能になる。
【００４１】
静電気除去装置３６の使用形態は、上述したように左右方向の両側に配置する形態に限定されることはない。すなわち、静電気除去装置３６は、左右方向の一方のみに設けたり、シート２の搬送方向においてシート２と対向する位置に設けることができる。シート供給部３においては、シート２の搬送方向の上流側（図１においては右側）に静電気除去装置３６を配置し、除電用エアー５２がシート２の搬送方向の下流側に向けて吹き出す形態を採ることができる。シート排出部６においては、シート２の搬送方向の下流側に静電気除去装置３６を配置し、除電用エアー５２がシート２の搬送方向の上流側に向けて吹き出す形態を採ることができる。
【００４２】
上述した実施の形態は、シート状物がシートである場合の一例を示した。しかし、シート状物としては、シートに限定されることはなく、ウェブでもよい。
また、上述した実施の形態においては、本発明を印刷機１のシート供給部３とシート排出部６とに適用する例を示した。しかし、本発明はこのような限定にとらわれることはない。本発明は、印刷機の反転部や折機、巻出装置や巻取装置にも適用可能である。
【００４３】
さらに、上述した実施の形態においては、静電気除去装置３６を支持するために揺動する第１および第２のアーム４３，４４を使用する例を示した。しかし、本発明に係るシート状物取扱い装置は、このような限定にとらわれることはなく、静電気除去装置を支持する構造は適宜変更することができる。例えば、いわゆるフレキシブルアームと呼称されている自在アームによって静電気除去装置を支持することができる。
【符号の説明】
【００４４】
１…印刷機、２…シート、３…シート供給部、６…シート排出部、３３…搬送路、３４，３５…支持部材、３６…静電気除去装置、５２…除電用エアー。
【図１】
2016199358.tif 000003
【図２】
2016199358.tif 000004
【図３】
2016199358.tif 000005